(57)【要約】【課題】 二重フック構造の固定部材を含むバックライト装置及びこれを含む表示装置を提供する。【解決手段】本発明の一実施形態によるバックライト装置は、側面に凸部と凹部を含む導光板と、前記導光板を取り囲み、前記凸部が突出した方向に前記凸部と対応する部分に配置する側面蓋部を含む下部カバーと、前記導光板と前記下部カバーの側面蓋部の間に配置する固定部材とを含み、前記側面蓋部には開口部が形成されており、前記固定部材は、前記凸部を取り囲む第１フックと、前記側面蓋部の前記開口部に突出した第２フックとを含む。【選択図】図２
2014038841.tif 000002
【特許請求の範囲】
【請求項１】
側面に凸部と凹部を含む導光板と、
前記導光板を取り囲み、前記凸部が突出した方向に前記凸部と対応する部分に位置する側面蓋部を含む下部カバーと、
前記導光板と前記下部カバーの側面蓋部の間に配置する固定部材とを含み、
前記側面蓋部には開口部が形成されており、
前記固定部材は、前記凸部を取り囲む第１フックと、前記側面蓋部の前記開口部に突出した第２フックとを含む、バックライト装置。
【請求項２】
前記第１フックは前記凸部の上部面に掛る、請求項１に記載のバックライト装置。
【請求項３】
前記第１フックは、前記凸部の両側面と、前記両側面それぞれから前記凸部の上部面につながる部分とを覆う、請求項２に記載のバックライト装置。
【請求項４】
前記導光板は、複数の辺を含む多角形の水平断面を有し、
前記固定部材は、前記導光板の水平断面の少なくとも１辺に配置する、請求項３に記載のバックライト装置。
【請求項５】
前記固定部材が配置される前記導光板の水平断面の少なくとも１辺と異なる、前記導光板の水平断面の少なくとも１辺に配置される光源部をさらに含む、請求項４に記載のバックライト装置。
【請求項６】
前記導光板の水平断面の複数の辺は、第１辺と、前記第１辺が接触する第２辺とを含み、  
前記第１辺の長さは前記第２辺の長さより長く、
前記光源部は前記第２辺に形成され、前記固定部材は前記第１辺に形成される、請求項５に記載のバックライト装置。
【請求項７】
前記導光板の下部に配置する反射シートをさらに含み、前記反射シートは前記導光板の凸部及び凹部にそれぞれ対応する凸部及び凹部を含む、請求項３乃至６のいずれか一項に記載のバックライト装置。
【請求項８】
前記固定部材は、前記導光板の１辺に沿って複数形成されている、請求項３乃至７のいずれか一項に記載のバックライト装置。
【請求項９】
前記凸部は、前記凹部を介して配置する第１凸部と第２凸部を含み、
前記第１フックは、前記第１凸部の一側面と、前記一側面から前記第１凸部の上部面につながる部分、及び前記第２凸部の一側面と、前記第２凸部の一側面から前記第２凸部の上部面につながる部分を覆い、
前記第１凸部の一側面と、前記第２凸部の一側面とは、前記凹部を中心に互いに対向する、請求項２に記載のバックライト装置。
【請求項１０】
前記導光板は、複数の辺を含む多角形の水平断面を有し、
前記固定部材は、前記導光板の水平断面の少なくとも１辺に配置する、請求項９に記載のバックライト装置。
【請求項１１】
前記固定部材が配置される前記導光板の水平断面の少なくとも１辺と異なる、前記導光板の水平断面の少なくとも１辺に配置される光源部をさらに含む、請求項１０に記載のバックライト装置。
【請求項１２】
前記導光板の水平断面の複数の辺は、第１辺と、前記第１辺が接触する第２辺とを含み、
前記第１辺の長さは前記第２辺の長さより長く、
前記光源部は前記第２辺に形成され、前記固定部材は前記第１辺に形成される、請求項１１に記載のバックライト装置。
【請求項１３】
前記導光板の下部に配置する反射シートをさらに含み、前記反射シートは前記導光板の凸部及び凹部にそれぞれ対応する凸部及び凹部を含む、請求項９乃至１２のいずれか一項に記載のバックライト装置。
【請求項１４】
前記固定部材は、前記導光板の１辺に沿って複数形成されている、請求項９乃至１３のいずれか一項に記載のバックライト装置。
【請求項１５】
前記固定部材は遮光部材である、請求項１乃至１４のいずれか一項に記載のバックライト装置。
【請求項１６】
表示パネルと、
前記表示パネルに光を供給するバックライト装置とを含み、
前記バックライト装置は、
側面に凸部と凹部を含む導光板と、
前記導光板を取り囲み、前記凸部が突出した方向に前記凸部と対応する部分に配置する側面蓋部を含む下部カバーと、
前記導光板と、前記下部カバーの側面蓋部との間に配置する固定部材とを含み、
前記側面蓋部には開口部が形成されており、
前記固定部材は、前記凸部を取り囲む第１フックと、前記側面蓋部の前記開口部に突出した第２フックとを含む、表示装置。
【請求項１７】
前記第１フックは、前記凸部の両側面と、前記両側面それぞれから前記凸部の上部面につながる部分とを覆う、請求項１６に記載の表示装置。
【請求項１８】
前記導光板は、複数の辺を含む多角形の水平断面を有し、
前記固定部材は、前記導光板の水平断面の少なくとも１辺に配置する、請求項１７に記載の表示装置。
【請求項１９】
前記固定部材が配置される前記導光板の水平断面の少なくとも１辺と異なる、前記導光板の水平断面の少なくとも１辺に配置される光源部をさらに含む、請求項１８に記載の表示装置。
【請求項２０】
前記導光板の水平断面の複数の辺は、第１辺と、前記第１辺が接触する第２辺とを含み、
前記第１辺の長さは前記第２辺の長さより長く、
前記光源部は前記第２辺に形成され、前記固定部材は前記第１辺に形成される、請求項１９に記載の表示装置。
【請求項２１】
前記導光板の下部に配置する反射シートをさらに含み、前記反射シートは、前記導光板の凸部及び凹部にそれぞれ対応する凸部及び凹部を含む、請求項１７乃至２０のいずれか一項に記載の表示装置。
【請求項２２】
前記固定部材は、前記導光板の１辺に沿って複数形成されている、請求項１７乃至２１のいずれか一項に記載の表示装置。
【請求項２３】
前記凸部は、前記凹部を介して配置する第１凸部と第２凸部を含み、
前記第１フックは、前記第１凸部の一側面と、前記一側面から前記第１凸部の上部面につながる部分、及び前記第２凸部の一側面と、前記第２凸部の一側面から前記第２凸部の上部面につながる部分を覆い、
前記第１凸部の一側面と前記第２凸部の一側面は前記凹部を中心に互いに対向する、請求項１６に記載の表示装置。
【請求項２４】
前記導光板は、複数の辺を含む多角形の水平断面を有し、
前記固定部材は、前記導光板の水平断面の少なくとも１辺に配置する、請求項２３に記載の表示装置。
【請求項２５】
前記固定部材が配置される前記導光板の水平断面の少なくとも１辺と異なる、前記導光板の水平断面の少なくとも１辺に配置される光源部をさらに含む、請求項２４に記載の表示装置。
【請求項２６】
前記導光板の水平断面の複数の辺は、第１辺と、前記第１辺が接触する第２辺とを含み、
前記第１辺の長さは前記第２辺の長さより長く、
前記光源部は前記第２辺に形成され、前記固定部材は前記第１辺に形成される、請求項２５に記載の表示装置。
【請求項２７】
前記導光板の下部に配置する反射シートをさらに含み、前記反射シートは、前記導光板の凸部及び凹部にそれぞれ対応する凸部及び凹部を含む、請求項２３乃至２６のいずれか一項に記載の表示装置。
【請求項２８】
前記固定部材は前記導光板の１辺に沿って複数形成されている、請求項２３乃至２７のいずれか一項に記載の表示装置。
【請求項２９】
前記固定部材は遮光部材である、請求項１６乃至２８のいずれか一項に記載の表示装置。
【発明の詳細な説明】
【技術分野】
【０００１】
本発明は、バックライト装置及びこれを含む表示装置に関する。
【背景技術】
【０００２】
表示装置には、自ら光を出してイメージを表示する自発光型表示装置と、別途の光源が出す光を制御してイメージを表示する受光型表示装置とがある。受光型表示装置のうちの代表的なものが液晶表示装置である。
【０００３】
液晶表示装置は、現在、最も幅広く使用されている平板表示装置の一つであって、画素電極及び共通電極など電界生成電極（ｆｉｅｌｄ  ｇｅｎｅｒａｔｉｎｇ  ｅｌｅｃｔｒｏｄｅ）が形成されている二枚の表示板と、その間に挿入されている液晶層とを含み、これら液晶層を挟持した表示板に光を提供するバックライト装置を含む。液晶表示装置は、電界生成電極に電圧を印加して液晶層に電界を生成し、これを通じて液晶層の液晶分子の方向を決定し、バックライト装置が提供する光の出射量を制御することによって画像を表示する。
【０００４】
このようなバックライト装置は、光の照射方式によって直下型（Ｄｉｒｅｃｔ  Ｔｙｐｅ）及びエッジ型（Ｅｄｇｅ  Ｔｙｐｅ）の２種類の形態に分類されている。ここで、エッジ型バックライト装置は、光源の位置が液晶モジュールの側面に位置しており、光源から出る光が導光板を通して平面光を形成する形態である。
【０００５】
エッジ型バックライト装置において、導光板を固定するためにボトムシャーシの角部にモールドやシリコン材質のホルダーを配置することができる。しかし、このようなホルダーを固定するために、追加的に両面テープまたはスクリュー（ｓｃｒｅｗ）のような副資材を使用するようになり、ベゼル（Ｂｅｚｅｌ）が次第に小さくなる傾向の構造においては、空間不足によってホルダータイプの固定部材をボトムシャーシの角部に配置するのは困難であるという問題がある。
【発明の概要】
【発明が解決しようとする課題】
【０００６】
本発明の目的は、二重フック構造の固定部材を含むバックライト装置及びこれを含む表示装置を提供することにある。
【課題を解決するための手段】
【０００７】
本発明の一実施形態によるバックライト装置は、側面に凸部と凹部を含む導光板と、導光板を取り囲み、凸部が突出した方向に凸部と対応する部分に配置する側面蓋部を含む下部カバーと、導光板と下部カバーの側面蓋部の間に配置する固定部材とを含み、側面蓋部には開口部が形成されており、固定部材は、凸部を取り囲む第１フックと、側面蓋部の開口部に突出した第２フックとを含む。
【０００８】
第１フックは、凸部の上部面にかかってもよい。
【０００９】
第１フックは、凸部の両側面と、両側面のそれぞれから凸部の上部面につながる部分とを覆ってもよい。
【００１０】
導光板は、複数の辺を含む多角形の水平断面を有し、固定部材は、導光板の水平断面の少なくとも１辺に配置してもよい。
【００１１】
固定部材が配置される導光板の水平断面の少なくとも１辺と異なる、導光板の水平断面の少なくとも１辺に配置される光源部をさらに含んでもよい。
【００１２】
導光板の水平断面の複数の辺は、第１辺と、第１辺が接触する第２辺とを含み、第１辺の長さは第２辺の長さより長く、光源部は第２辺に形成され、固定部材は第１辺に形成されてもよい。
【００１３】
導光板の下部に配置する反射シートをさらに含み、反射シートは、導光板の凸部及び凹部にそれぞれ対応する凸部及び凹部を含んでもよい。
【００１４】
固定部材は、導光板の１辺に沿って複数形成してもよい。
【００１５】
凸部は、凹部を介して配置する第１凸部と第２凸部を含み、第１フックは、第１凸部の一側面と、一側面から第１凸部の上部面につながる部分、及び第２凸部の一側面と、第２凸部の一側面から第２凸部の上部面につながる部分を覆い、第１凸部の一側面と第２凸部の一側面は、凹部を中心に互いに対向してもよい。
【００１６】
導光板は、複数の辺を含む多角形の水平断面を有し、固定部材は、導光板の水平断面の少なくとも１辺に配置してもよい。
【００１７】
固定部材が配置される導光板の水平断面の少なくとも１辺と異なる、導光板の水平断面の少なくとも１辺に配置される光源部をさらに含んでもよい。
【００１８】
導光板の水平断面の複数の辺は、第１辺と、第１辺が接触する第２辺とを含み、第１辺の長さは第２辺の長さより長く、光源部は第２辺に形成され、固定部材は第１辺に形成されてもよい。
【００１９】
導光板の下部に配置する反射シートをさらに含み、反射シートは導光板の凸部及び凹部にそれぞれ対応する凸部及び凹部を含んでもよい。
【００２０】
固定部材は、導光板の１辺に沿って複数形成してもよい。
【００２１】
固定部材は、遮光部材であってもよい。
【００２２】
本発明の一実施形態による表示装置は、表示パネルと、表示パネルに光を供給するバックライト装置とを含み、バックライト装置は、側面に凸部と凹部を含む導光板と、導光板を取り囲み、凸部が突出した方向に凸部と対応する部分に配置する側面蓋部を含む下部カバーと、導光板と下部カバーの側面蓋部の間に配置する固定部材とを含み、側面蓋部には開口部が形成されており、固定部材は、凸部を取り囲む第１フックと、側面蓋部の個口部に突出した第２フックとを含む。
【００２３】
第１フックは、凸部の両側面と、両側面のそれぞれから凸部の上部面につながる部分とを覆ってもよい。
【００２４】
導光板は、複数の辺を含む多角形の水平断面を有し、固定部材は、導光板の水平断面の少なくとも１辺に配置してもよい。
【００２５】
固定部材が配置される導光板の水平断面の少なくとも１辺と異なる、導光板の水平断面の少なくとも１辺に配置される光源部をさらに含んでもよい。
【００２６】
導光板の水平断面の複数の辺は、第１辺と、第１辺が接触する第２辺とを含み、第１辺の長さは第２辺の長さより長く、光源部は第２辺に形成され、固定部材は第１辺に形成されてもよい。
【００２７】
導光板の下部に配置する反射シートをさらに含み、反射シートは、導光板の凸部及び凹部にそれぞれ対応する凸部及び凹部を含んでもよい。
【００２８】
固定部材は導光板の１辺に沿って複数形成してもよい。
【００２９】
凸部は、凹部を介して配置する第１凸部と第２凸部を含み、第１フックは、第１凸部の一側面と、一側面から第１凸部の上部面につながる部分、及び第２凸部の一側面と、第２凸部の一側面から第２凸部の上部面につながる部分を覆い、第１凸部の一側面と第２凸部の一側面は凹部を中心に互いに対向してもよい。
【００３０】
導光板は、複数の辺を含む多角形の水平断面を有し、固定部材は、導光板の水平断面の少なくとも１辺に配置してもよい。
【００３１】
固定部材が配置される導光板の水平断面の少なくとも１辺と異なる、導光板の水平断面の少なくとも１辺に配置される光源部をさらに含んでもよい。
【００３２】
導光板の水平断面の複数の辺は、第１辺と、第１辺が接触する第２辺とを含み、第１辺の長さは第２辺の長さより長く、光源部は第２辺に形成され、固定部材は第１辺に形成されてもよい。
【００３３】
導光板の下部に配置する反射シートをさらに含み、反射シートは、導光板の凸部及び凹部にそれぞれ対応する凸部及び凹部を含んでもよい。
【００３４】
固定部材は、導光板の１辺に沿って複数形成してもよい。
【００３５】
固定部材は、遮光部材であってもよい。
【発明の効果】
【００３６】
本発明の一実施形態によれば、二重フック構造の固定部材を使用することによって、別途のテープやスクリューがなくても導光板を固定することができ、縮小されたベゼルの構造においてもフックの方向を変化させて固定部材を使用することができ、固定部材を遮光部材で形成することにより、側面から発生する光漏れを防止することができる。
【図面の簡単な説明】
【００３７】
【図１】本発明の一実施形態によるバックライト装置を示す平面図である。
【図２】図１の実施形態による固定部材を示す斜視図である。
【図３】図１の実施形態でＹ軸方向から見たバックライト装置を示す正面図である。
【図４】図１の実施形態によるバックライト装置を示す斜視図である。
【図５】図４の切断線Ｖ-Ｖに沿った断面図である。
【図６】図４のバックライト装置を示す分解図である。
【図７】図１のバックライト装置を含む表示装置を示す断面図である。
【図８】本発明の他の実施形態によるバックライト装置を示す平面図である。
【図９】図８実施形態による固定部材を示す斜視図である。
【図１０】図８の実施形態によるバックライト装置を示す斜視図である。
【図１１】図８の実施形態によるバックライト装置のエッジ部分を示す平面図である。
【図１２】本発明の他の実施形態によるバックライト装置を示す平面図である。
【図１３】本発明の他の実施形態によるバックライト装置を示す平面図である。
【発明を実施するための形態】
【００３８】
添付した図面を参照して、本発明の好ましい実施形態について詳細に説明する。ただし、本発明はここで説明する実施形態に限定されず、他の形態に具体化することもできる。むしろ、ここで紹介する実施形態は、開示された内容が完全なものとなるようにし、そして当業者に本発明の思想が十分に伝達されるようにするために提供されるものである。
【００３９】
図面において、層及び領域の厚さは、明確性を期するために誇張して示した。また、層が他の層または基板「上」にあると言及する場合に、それは他の層または基板上に直接形成されるか、またはそれらの間に第３の層が介されてもよい。明細書の全体にわたって同一の参照番号で表示される部分は同一の構成要素を意味する。
【００４０】
図１は、本発明の一実施形態によるバックライト装置を示す平面図である。
【００４１】
図１を参照すれば、本発明の一実施形態によるバックライト装置の導光板１２０は全体的に長方形であり、導光板１２０の４辺のうちの少なくとも一つに凸部１２０ｐが形成されている。凸部１２０ｐは導光板１２０の１辺の中央部分に形成してもよい。本実施形態では凸部１２０ｐが導光板１２０の互いに対向する一対の辺にそれぞれ形成されており、凸部１２０ｐが形成された導光板１２０の辺において残りの部分である凹部１２０ｄと定義してもよい。
【００４２】
本実施形態において、導光板１２０の凸部１２０ｐと対応する部分に固定部材ＦＭが形成される。固定部材ＦＭは、第１フックＨＫ１（図示せず）とＹ軸方向に突出した第２フックＨＫ２を含み、これについては今後詳細に説明する。
【００４３】
導光板１２０の凸部１２０ｐが形成された辺を第１辺といい、他の辺を第２辺という時、第２辺に隣接した部分に複数の光源部ＬＳＰを形成してもよい。第１辺は、第２辺に比べて長さが長く、そのために光源部ＬＳＰは短辺に形成され、固定部材ＦＭは長辺に形成される。
【００４４】
以下、図２〜図６を参照して、本発明の実施形態によるバックライト装置について詳細に説明する。
【００４５】
図２は、図１の実施形態による固定部材を示す斜視図である。
【００４６】
図２を参照すれば、本実施形態において、固定部材ＦＭは、ＸＺ平面に平行に形成されており、鉤形状の部分を含む第１フックＨＫ１と、Ｙ軸方向に突出した第２フックＨＫ２とを含む。固定部材ＦＭは、ポリカーボネート（Ｐｏｌｙｃａｒｂｏｎａｔｅ;ＰＣ）、アクリロニトリルブタジエンスチレン（Ａｃｒｙｌｏｎｉｔｒｉｌｅ  Ｂｕｔａｄｉｅｎｅ  Ｓｔｙｒｅｎｅ;ＡＢＳ）、ポリエチレンテレフタレート（ｐｏｌｙｅｔｈｙｌｅｎｅｔｅｒｅｐｈｔｈａｌａｔｅ;ＰＥＴ）、及びガラスファイバ（Ｇｌａｓｓ  Ｆｉｂｅｒ;Ｇ／Ｆ）のうちの少なくとも一つを含んでもよい。この時、固定部材ＦＭは光を遮断できる物質で形成されてもよい。つまり、固定部材ＦＭは遮光部材であってもよい。導光板の周縁辺に凸部のような突出した形状を有すると、突出した部分で光が反射するか、または透過するので、輝度の均一性が減少することがある。しかしながら、本実施形態のように固定部材ＦＭを光を遮断できる物質から形成すれば、光の反射や光の透過を減らして、視認性を向上させることができる。
【００４７】
図３は、図１の実施形態において、Ｙ軸方向から見たバックライト装置を示す正面図である。図４は、図１の実施形態によるバックライト装置を示す斜視図である。図５は、図４の切断線Ｖ-Ｖに沿った断面図である。図６は、図４のバックライト装置を示す分解図である。
【００４８】
図３〜図６を参照すれば、本実施形態によるバックライト装置は、導光板１２０の側面を取り囲む下部カバーの側面蓋部１０１を含む。下部カバーについては、今後図７を参照して詳細に説明する。下部カバーの側面蓋部１０１は、導光板１２０の凸部１２０ｐが突出した方向（Ｙ軸方向）に凸部１２０ｐと対応する部分に位置する。この時、固定部材ＦＭは導光板１２０と下部カバーの側面蓋部１０１の間に配置されている。
【００４９】
固定部材ＦＭの第１フックＨＫ１は、凸部１２０ｐの両側面と、両側面から凸部１２０ｐの上部面につながる部分を覆っている。図３及び図４に示すように、第１フックＨＫ１は導光板１２０の上部面に掛る形状を有する。したがって、本実施形態において第１フックＨＫ１は、Ｘ軸方向とＺ軸方向に導光板１２０が移動するのを防止することができる。
【００５０】
固定部材ＦＭは、導光板１２０の凹部１２０ｄと側面蓋部１０１の間で凹部１２０ｄ及び側面蓋部１０１に密着してもよい。
【００５１】
側面蓋部１０１には開口部ＯＰＮが形成されており、固定部材ＦＭの第２フックＨＫ２は、開口部ＯＰＮの内部に突出している。本実施形態において第２フックＨＫ２は、Ｙ軸方向とＺ軸方向に導光板１２０が移動するのを防止することができる。
【００５２】
本実施形態において、導光板１２０下端に配置する反射シート１１０も、その周縁辺が導光板１２０の凸状と凹状に沿って凸部と凹部を有してもよい。また、固定部材ＦＭによって導光板１２０と共に固定されて、反射シート１１０の移動を防止することができる。
【００５３】
このように、本実施形態による固定部材ＦＭは、Ｘ軸方向及びＹ軸方向だけでなく、Ｚ軸方向まで導光板１２０と下部カバー１００の移動及び分離を防止することができて、バックライト装置の信頼性が確保される。
【００５４】
図７は、図１のバックライト装置を含む液晶表示装置を示す断面図である。図７は、図１の切断線ＶＩＩ-ＶＩＩに沿った断面図である。
【００５５】
図７を参照すれば、本発明の実施形態による表示装置は、画像を実現する表示パネル１６４と、表示パネル１６４に光を提供するバックライト装置１５０と、表示パネル１６４及びバックライト装置１５０を収納するための上部カバー１８０及び下部カバー１００とを含んでもよい。
【００５６】
上部カバー１８０は、表示パネル１６４の非表示領域と下部カバー１００の側面を取り囲むように折曲される。上部カバー１８０と下部カバー１００の間には、他の構成要素を支持するためのモールドフレーム１７０を形成してもよい。
【００５７】
表示パネル１６４は、バックライト装置１５０からの画像信号によって光透過率を調節して画像を表示するが、本実施形態による表示装置は液晶表示装置であってもよく、液晶表示装置の場合、表示パネル１６４は、下部基板１６０及び上部基板１６２の間に形成された液晶層（図示せず）、及び下部基板１６０と上部基板１６２との間隔を一定に維持させるスペーサ（図示せず）などを備えてもよい。
【００５８】
上部基板１６２は、カラーフィルタ、ブラックマトリックス、及び共通電極などを備える。
【００５９】
下部基板１６０は、薄膜トランジスタと、薄膜トランジスタに接続された画素電極とを備えてもよい。ここで、液晶のモードにより、上部基板１６２に構成された共通電極は下部基板１６０に形成してもよく、開口率の向上などのために上部基板１６２に形成されたカラーフィルタまたはブラックマトリックスは下部基板１６０に形成してもよい。
【００６０】
バックライト装置１５０は、光源ＬＳから出射する光を面光源化させて上部の表示パネル１６４に供給する導光板１２０と、導光板１２０の上部に位置して、導光板１２０から出射した光を散乱させて均一な光が発散されるようにする拡散シート１４２と、導光板１２０の下部に位置して、表示パネル１６４の反対側に漏出する光を反射して導光板１２０に伝達する反射シート１１０と、拡散シート１４２上に位置して、拡散シート１４２で拡散させた光を集光させるプリズムシート１４４とを含む。
【００６１】
本実施形態において、光源ＬＳは、印刷回路基板１３０に実装されている。光源ＬＳは、印刷回路基板１３０を通じて電源と電気信号の伝達を受けることができる。図１及び図７を参照すれば、光源ＬＳとプリント回路基板１３０を含む光源部ＬＳＰは、導光板１２０の一側周縁辺に隣接する位置に導光板１２０の一側周縁辺に沿って配置されている。ここで、光源ＬＳは発光ダイオード（ｌｉｇｈｔ  ｅｍｉｔｔｉｎｇ  ｄｉｏｄｅ:ＬＥＤ）などを使用してもよい。図７では光源部ＬＳＰがトップビュー方式の構造を示しているが、光源部ＬＳＰがサイドビュー方式で発光することもできる。
【００６２】
下部カバー１００は、その周縁で「Ｌ」字状を有する側面蓋部１０１を含んでいる。しかし、このような側面蓋部１０１の構造を変形して「Ｃ」字状を有する側面蓋部を含むように下部カバー１００を形成してもよく、このように形成された側面蓋部は、光源ＬＳの導光板１２０に向かっている面を除いたそれ以外の面を覆うことにより、光漏れを防止することができる。
【００６３】
図８は、本発明の他の実施形態によるバックライト装置を示す平面図である。
【００６４】
本実施形態によるバックライト装置の導光板１２０の形状が全体的で長方形であることは、図１で説明した実施形態と同一であるが、導光板１２０の４辺のうち、少なくとも二つに凹部１２０ｄが形成されている。凹部１２０ｄは、導光板１２０の１辺の中央部分に形成してもよい。本実施形態において凹部１２０ｄは、導光板１２０の互いに対向する一対の辺にそれぞれ形成されており、凹部１２０ｄが形成された導光板１２０の辺で残りの部分である凸部１２０ｐと定義する。本実施形態において、凹部は導光板の互いに対向する一対の辺にそれぞれ形成されているが、他の実施形態においては、凹部が導光板の４辺のうち１辺または３辺に形成されてもよい。
【００６５】
本実施形態において、導光板１２０の凹部１２０ｄと対応する部分に固定部材ＦＭが形成される。固定部材ＦＭは、第１フックＨＫ１と、Ｙ軸方向に突出した第２フックＨＫ２とを含み、これについては下記に詳細に説明する。
【００６６】
導光板１２０の凹部１２０ｄが形成された辺を第１辺といい、他の辺を第２辺という時、第２辺に隣接した部分に複数の光源部ＬＳＰを形成してもよい。第１辺は第２辺に比べて長さが長く、そのために光源部ＬＳＰは短辺に形成され、固定部材ＦＭは長辺に形成される。
【００６７】
以下、図９〜図１１を参照して、本発明の実施形態によるバックライト装置について詳細に説明する。
【００６８】
図９は、図８の実施形態における固定部材を示す斜視図である。
【００６９】
図９を参照すれば、本実施形態による固定部材ＦＭは、ＸＺ平面に平行に形成されており、鉤形状の部分を含む第１フックＨＫ１と、Ｙ軸方向に突出した第２フックＨＫ２とを含む。固定部材ＦＭは、ポリカーボネート（Ｐｏｌｙｃａｒｂｏｎａｔｅ;ＰＣ）、アクリロニトリルブタジエンスチレン（Ａｃｒｙｌｏｎｉｔｒｉｌｅ  Ｂｕｔａｄｉｅｎｅ  Ｓｔｙｒｅｎｅ;ＡＢＳ）、ポリエチレンテレフタレート（ｐｏｌｙｅｔｈｙｌｅｎｅ  ｔｅｒｅｐｈｔｈａｌａｔｅ;ＰＥＴ）、及びガラスファイバ（Ｇｌａｓｓ  Ｆｉｂｅｒ;Ｇ／Ｆ）のうちの少なくとも一つを含んでもよい。この時、固定部材ＦＭは光を遮断する物質で形成してもよい。つまり、固定部材ＦＭは遮光部材であってもよい。導光板の外周縁辺に凸部のような突出した形状を有すると、突出した部分から光が反射するか、または透過するため、輝度が減少することがあるが、本実施形態のように固定部材ＦＭを光を遮断する物質で形成すると、光の反射や光の透過を減らして外観品質を向上させることができる。
【００７０】
図１０は、図８の実施形態によるバックライト装置を示す斜視図である。
【００７１】
図１０を参照すれば、本実施形態によるバックライト装置は、導光板１２０の側面を取り囲む下部カバーの側面蓋部１０１を含む。下部カバーの側面蓋部１０１は、導光板１２０の凹部１２０ｄが陥没した方向（Ｙ軸方向）に凹部１２０ｄと対応する部分に位置する。この時、固定部材ＦＭは、導光板１２０と下部カバーの側面蓋部１０１の間に配置されている。
【００７２】
固定部材ＦＭの第１フックＨＫ１は、凹部１２０ｄを挟んで互いに隣接する凸部１２０ｐのうち一つの凸部１２０ｐの一側面と上部面につながる部分、及び他の一つの凸部１２０ｐの一側面と上部面につながる部分を同時に覆う。この時、互いに隣接する凸部１２０ｐのそれぞれの側面は、凹部１２０ｄを中心に互いに対向する位置にある。
【００７３】
したがって、本実施形態において第１フックＨＫ１は、Ｘ軸方向とＺ軸方向に導光板１２０が移動するのを防止することができる。
【００７４】
固定部材ＦＭは、導光板１２０の凸部１２０ｐと側面蓋部１０１の間で凸部１２０ｐ及び側面蓋部１０１に密着してもよい。
【００７５】
側面蓋部１０１には開口部ＯＰＮが形成されており、固定部材ＦＭの第２フックＨＫ２は開口部ＯＰＮの内部に突出している。本実施形態において第２フックＨＫ２は、Ｙ軸方向とＺ軸方向に導光板１２０が移動するのを防止することができる。
【００７６】
図１１は、図８の実施形態によるバックライト装置のエッジ部分を示す平面図である。
【００７７】
図１１を参照すれば、導光板１２０の凹部１２０ｄに固定部材ＦＭを配置することにより、図１の実施形態による導光板の最も外側の縁を構成モジュールの外側に配置できるので、ベゼルサイズをさらに小さくすることができる。図１及び図８をさらに参照すれば、図１の実施形態において導光板１２０の最外角周縁と下部カバー１００の最外角周縁の間の第１距離ｄ１と、図８の実施形態において導光板１２０の最外角周縁と下部カバー１００の最外角周縁の間の第２距離ｄ２とを比較する時、第２距離ｄ２が第１距離ｄ１より短いようにバックライト装置を形成してもよい。
【００７８】
図１２は、本発明の他の実施形態によるバックライト装置を示す平面図である。
【００７９】
図１２を参照すれば、大部分の構成要素は図１で説明した実施形態と同一であり、但し、導光板１２０の４辺のうちの少なくとも一つに凸部１２０ｐが複数形成されており、そのために複数の凸部１２０ｐに対応する部分に複数の固定部材ＦＭが形成されている点に差がある。本実施形態によるバックライト装置は、複数の位置に固定部材ＦＭが形成されていることにより、導光板１２０をより安定して固定することができる。
【００８０】
図１３は、本発明の他の実施形態によるバックライト装置を示す平面図である。
【００８１】
図１３を参照すれば、大部分の構成要素は図８で説明した実施形態と同一であり、但し、導光板１２０の４辺のうちの少なくとも一つに凹部１２０ｄが複数形成されており、そのために複数の凹部１２０ｄに対応する部分に複数の固定部材ＦＭが形成されている点に差がある。本実施形態によるバックライト装置は、複数の位置に固定部材ＦＭが形成されていることにより、導光板１２０をより安定して固定することができる。
【００８２】
以上、本発明の好ましい実施形態について詳細に説明したが、本発明の権利範囲はこれに限定されず、請求の範囲で定義している本発明の基本概念を利用した当業者の種々の変形及び改良形態も本発明の権利範囲に属するものである。
【符号の説明】
【００８３】
１００  下部カバー
１２０  導光板
１２０ｐ  凸部
１２０ｄ  凹部
ＦＭ  固定部材
ＨＫ１  第１フック
ＨＫ２  第２フック
【図１】
2014038841.tif 000003
【図２】
2014038841.tif 000004
【図３】
2014038841.tif 000005
【図４】
2014038841.tif 000006
【図５】
2014038841.tif 000007
【図６】
2014038841.tif 000008
【図７】
2014038841.tif 000009
【図８】
2014038841.tif 000010
【図９】
2014038841.tif 000011
【図１０】
2014038841.tif 000012
【図１１】
2014038841.tif 000013
【図１２】
2014038841.tif 000014
【図１３】
2014038841.tif 000015